(57)【要約】【課題】生まれ年の干支により定められた守り本尊をエコ素材を用いて立体像に形成してなるので、平面的な御守などと違って守り本尊を立体的な仏様として認識することができ、見た目のインパクト感の強い斬新性を惹起することができ、守り本尊による加護感を比較的に強く監督することができ、毎日の平穏な生活や家族みんなの健康を守ってくれる各人の加護並びに、室内装飾をも兼ねることができ、それだけ、新たな守り本尊であるとして需要を喚起することができ、需要の拡大を図ることができ、エコ素材からなるので、再生産もし易く、使用後も環境に比較的負担をかけずに処分、分解することができ、環境に優しい守り本尊仏像を提供することができる。【解決手段】生まれ年の干支により定められた守り本尊Ｍをエコ素材Ｅを用いて立体像１に形成してなる。【選択図】図１
0003150367.tif 000002
【実用新案登録請求の範囲】
【請求項１】
生まれ年の干支により定められた守り本尊をエコ素材を用いて立体像に形成してなることを特徴とする守り本尊仏像。
【請求項２】
上記エコ素材はトウモロコシなどの植物性バイオマス素材であることを特徴とする請求項１記載の守り本尊仏像。
【請求項３】
上記立体像は金型成形品であることを特徴とする請求項１又は２記載の守り本尊仏像。
【考案の詳細な説明】
【技術分野】
【０００１】
本考案は、例えば、家庭内のサイドボードやタンスに設置され、各人の加護及び室内装飾を兼ねた守り本尊仏像である。
【背景技術】
【０００２】
この種の守り本尊は各人の生まれ年の干支によって定められ、毎日の平穏な生活や家族みんなの健康を守ってくれる仏様といわれている。
【０００３】
従来、この種の干支に因む守り本尊仏として、守り本尊を施した刺繍シートや御守などが知られている。
【先行技術文献】
【特許文献】
【０００４】
【特許文献１】実用新案登録第３０９５８９２公報
【考案の概要】
【考案が解決しようとする課題】
【０００５】
しかしながら、上記刺繍シートや御守の場合、身肌に付けて使用することができ、携行に便利であるという利点はあるものの、施された守り本尊は平面的な表現となり、見た目のインパクト感に乏しく、ひいては、守り本尊による加護感が比較的に希薄になり易いという不都合を有している。
【課題を解決するための手段】
【０００６】
本考案はこれらの不都合を解決することを目的とするもので、本考案のうちで、請求項１記載の考案は、生まれ年の干支により定められた守り本尊をエコ素材を用いて立体像に形成してなることを特徴とする守り本尊仏像にある。
【０００７】
又、請求項２記載の考案は、上記エコ素材はトウモロコシなどの植物性バイオマス素材であることを特徴とするものであり、又、請求項３記載の考案は、上記立体像は金型成形品であることを特徴とするものである。
【考案の効果】
【０００８】
本考案は上述の如く、請求項１記載の考案にあっては、生まれ年の干支により定められた守り本尊をエコ素材を用いて立体像に形成してなるので、平面的な御守などと違って守り本尊を立体的な仏様として認識することができ、見た目のインパクト感の強い斬新性を惹起することができ、守り本尊による加護感を比較的に強く監督することができ、毎日の平穏な生活や家族みんなの健康を守ってくれる各人の加護並びに、室内装飾をも兼ねることができ、それだけ、新たな守り本尊であるとして需要を喚起することができ、需要の拡大を図ることができ、エコ素材からなるので、再生産もし易く、使用後も環境に比較的負担をかけずに処分、分解することができ、環境に優しい守り本尊仏像を提供することができる。
【０００９】
又、請求項２記載の考案にあっては、上記エコ素材はトウモロコシなどの植物性バイオマス素材であるから、環境に比較的負担をかけずに処分、分解することができ、又、請求項３記載の考案にあっては、上記立体像は金型成形品であるから、製作が容易となり、量産をすることもでき、製作コストの低減を図ることができる。
【図面の簡単な説明】
【００１０】
【図１】本考案の実施の形態例の斜視図である。
【図２】生まれ年の干支と守り本尊との関係説明図である。
【図３】守り本尊の説明図である。
【図４】守り本尊の説明図である。
【図５】守り本尊の説明図である。
【図６】守り本尊の説明図である。
【図７】守り本尊の説明図である。
【図８】守り本尊の説明図である。
【図９】守り本尊の説明図である。
【図１０】守り本尊の説明図である。
【考案を実施するための形態】
【００１１】
図１乃至図１０は本考案の実施の形態例を示し、１は立体像であって、生まれ年の干支により定められた守り本尊Ｍをエコ素材Ｅを用いて形成されている。
【００１２】
この場合、上記守り本尊Ｍとして、文殊菩薩の立体像が形成され、かつ、上記エコ素材Ｅとして、トウモロコシなどの植物性バイオマス素材が用いられ、さらに、金型成形品として形成されている。尚、室内装飾を兼ねることとして、家庭内のサイドボードやタンス上の設置スペースなどを考慮し、高さが１５ｃｍ〜２０ｃｍ位のものが製作される。また、立体像１は適宜な相応しい色のカラー仕上げを行うことができる。
【００１３】
なお、上記守り本尊Ｍは、図２の如く、子年生まれが「千手観世音菩薩」、丑年生まれが「虚空蔵菩薩」、寅年生まれが「虚空蔵菩薩」、卯年生まれが「文殊菩薩」、辰年生まれが「普賢菩薩」、巳年生まれが「普賢菩薩」、午年生まれが「勢至菩薩」、未年生まれが「大日如来」、申年生まれが「大日如来」、酉年生まれが「不動明王」、戌年生まれが「阿弥陀如来」、亥年生まれが「阿弥陀如来」のように定められている。ここで、丑年生まれと寅年生まれは「虚空蔵菩薩」、辰年生まれと巳年生まれが「普賢菩薩」、未年生まれと申年生まれが「大日如来」、戌年生まれと亥年生まれが「阿弥陀如来」で重複して計８種類の立体像が形成されることになる。
【００１４】
また、ここにいうエコ素材Ｅとは、栽培できる植物から作られ、再生産もし易く、使用後も環境に比較的負担をかけずに処分、分解される素材を指す。また、バイオマス素材とは、エコ素材Ｅの代表例であって、バイオマスは生物資源（ｂｉｏ＝バイオ）の量（ｍａｓｓ＝マス）の意味であり、生物由来の有機性資源の中から化石資源を除いたものを呼ぶのが一般的とされている。
【００１５】
ここにおいて、守り本尊については、意外と知られていないと思われるが、守り本尊は、人間の精神的な側面を支える仏様とされ、このうち、子年生まれに結ばれる「千手観音菩薩（観世音菩薩）」は、大慈大悲をもって人々を救済することを本願とし、私達をとり巻く悪事災難を除く事を誓願とし、姿を種々に変化し、自由自在に時と場所に出現され、今日も観音信仰は盛んであるとされ、丑、寅年生まれに結ばれる「虚空蔵菩薩」は、虚空蔵とは無尽の宝庫の意であり、計り知れぬ智恵と福徳を備え、その功徳は無量無辺、智恵を一身に体得し、すべての教法を記憶し、智恵とともに幸運を施されるとされ、卯年生まれに結ばれる「文殊菩薩」は、南インドで活躍し、般若経を編集し、智恵を与える経典を左手に、右手に迷いを断ち切る剣を持ち、邪悪な思想と行為を断ち、迷いや無知を正し、真の知恵を与え、人間社会に幸せを運ぶとされ、辰、巳年生まれに結ばれる「普賢菩薩」は、一番賢い方とされ、力強い慈悲心は「普賢の行願」といわれ、凡人すべてが仏になる行を勧められ、兄の文殊菩薩が智恵門で獅子に、弟の普賢菩薩が慈悲門で白象に乗り、釈迦の両脇侍として立つとされ、午年生まれに結ばれる「勢至菩薩」は、十三仏中、余り知られていないが、大きな智恵の勢いで仏智仏性を開き、覚りに至らしめ、「三途を離れしめて無上の力を得せしむゆえに大勢至と名づく」と観無量寿経にあるとされ、未、申年生まれに結ばれる「大日如来」は、密教では最高至上、あらゆる仏陀の徳を備え、大光明によって煩悩の闇を除くとされ、この世を隈なく照らし、すべてのものを育て働かしめる永遠不滅の光を持っているとされ、酉年生まれに結ばれる「不動明王」は、忿怒像といった怒った姿であって、「明」即ち真言を唱えて礼拝するとご利益があり、王様の様だとの意であり、右手に剣、左手に縄、後背に火焔を背負い、悩みと災難を断ち、悪事を退治するための姿であるとされ、戌、亥年生まれに結ばれる「阿弥陀如来」は、宇宙の無限をさし、無量寿命と無量光明の二つの特性を備え、罪深い人をも見捨てないという誓願、人が亡くなる時、迎えに来て浄土へ導いて下さるとされている。
【００１６】
この実施の形態例は上記構成であるから、生まれ年の干支により定められた守り本尊をエコ素材を用いて立体像に形成してなるので、平面的な御守などと違って守り本尊を立体的な仏様として認識することができ、見た目のインパクト感の強い斬新性を惹起することができ、ひいては、守り本尊による加護感を比較的に強く監督することができ、毎日の平穏な生活や家族みんなの健康を守ってくれる各人の加護並びに、室内装飾をも兼ねることができ、それだけ、新たな守り本尊であるとして需要を喚起することができ、需要の拡大を図ることができ、エコ素材Ｅからなるので、再生産もし易く、使用後も環境に比較的負担をかけずに処分、分解することができ、環境に優しい守り本尊仏像を提供することができる。
【００１７】
又、この場合、上記エコ素材Ｅはトウモロコシなどの植物性バイオマス素材であるから、環境に比較的負担をかけずに処分、分解することができ、又、この場合、上記立体像１は金型成形品であるから、製作が容易となり、量産をすることもでき、製作コストの低減を図ることができる。
【００１８】
以上の如く、所期の目的を充分達成することができる。
【符号の説明】
【００１９】
Ｍ    守り本尊
Ｅ    エコ素材
１    立体像
【図１】
0003150367.tif 000003
【図２】
0003150367.tif 000004
【図３】
0003150367.tif 000005
【図４】
0003150367.tif 000006
【図５】
0003150367.tif 000007
【図６】
0003150367.tif 000008
【図７】
0003150367.tif 000009
【図８】
0003150367.tif 000010
【図９】
0003150367.tif 000011
【図１０】
0003150367.tif 000012